【手続補正書】
【提出日】平成16年7月21日(2004.7.21)
【手続補正１】
【補正対象書類名】明細書
【補正対象項目名】発明の名称
【補正方法】変更
【補正の内容】
【発明の名称】サーバー、パソコン及び情報機器
【手続補正２】
【補正対象書類名】明細書
【補正対象項目名】特許請求の範囲
【補正方法】変更
【補正の内容】
【特許請求の範囲】
【請求項１】
ネットワークを介して端末と接続されるサーバーであって、
ユーザー管理データベース及びコンテンツデータベースを備え、所定の端末からログインがあると、前記所定の端末からの要求に対応した、前記コンテンツデータベースに保存されたコンテンツデータに、前記所定の端末に関連する情報に基づいてスクランブルをかけるとともに、前記ユーザー管理データベースに保存された、ログインしたユーザーが管理する所定の情報機器を特定するＩＤによるヘッダーデータを付加して端末に送信することを特徴とするサーバー。
【請求項２】
ネットワークを介して端末と接続されるサーバーであって、
ユーザー管理データベース及びコンテンツデータベースを備え、所定の端末からログインがあると、前記所定の端末から送信された所定の情報機器のＩＤと、前記ユーザー管理データベースにより管理されている所定の情報機器のＩＤとを比較し、それらが一致したときに、前記所定の端末からの要求に対応した、前記コンテンツデータベースのコンテンツデータに、前記所定の端末に関連する情報に基づいてスクランブルをかけて端末に送信することを特徴とするサーバー。
【請求項３】
ネットワークを介してサーバーと接続されるパソコンであって、
請求項１に記載のサーバーからのコンテンツデータを受信し、前記ヘッダーデータのＩＤと前記パソコンに接続された所定の情報機器のＩＤとを対比して適合したときに、サーバーからのコンテンツデータを前記所定の情報機器に送信することを特徴とするパソコン。
【請求項４】
請求項３に記載のパソコンから受信したコンテンツデータのスクランブルを解除して記憶することを特徴とする情報機器。
【請求項５】
請求項１又は２に記載のサーバーから携帯電話を介してコンテンツデータを受信すると、その携帯電話に関する情報に基づいてスクランブルを解除して記憶することを特徴とする情報機器。
【請求項６】
前記コンテンツデータを外部メモリに記憶することを特徴とする請求項４又は５に記載の情報機器。
【手続補正３】
【補正対象書類名】明細書
【補正対象項目名】０００１
【補正方法】変更
【補正の内容】
【０００１】
【発明の属する技術分野】
本発明は、コンテンツ配信用のサーバー、パソコン及び情報機器に関する。
【手続補正４】
【補正対象書類名】明細書
【補正対象項目名】０００５
【補正方法】変更
【補正の内容】
【０００５】
本発明は、このような問題点を解決するためになされたものであり、コンテンツに著作権の保護をかけて端末側に送信することを可能にした配信用のサーバー、並びにサーバーからのコンテンツを受信するためのパソコン及び情報機器を提供することを目的とする。
【手続補正５】
【補正対象書類名】明細書
【補正対象項目名】０００６
【補正方法】変更
【補正の内容】
【０００６】
【課題を解決するための手段】
本発明に係るサーバーは、ネットワークを介して端末と接続されるサーバーであって、
ユーザー管理データベース及びコンテンツデータベースを備え、所定の端末からログインがあると、前記所定の端末からの要求に対応した、前記コンテンツデータベースに保存されたコンテンツデータに、前記所定の端末に関連する情報に基づいてスクランブルをかけ、前記ユーザー管理データベースに保存された、ログインしたユーザーが管理する所定の情報機器を特定するＩＤによるヘッダーデータを付加して端末に送信する。本発明においては、サーバーに対して端末からログインがあると、端末の選択に対応してコンテンツデータベースのコンテンツデータが選択され、そのコンテンツデータに、端末に関連する情報に基づいてスクランブルをかけて端末に送信するので、コンテンツデータの違法なコピーが防止され、データの著作権が有効に保護される。また、専用の情報機器を特定する為のＩＤはサーバー側において管理されており、このＩＤによるヘッダーデータが付加されることにより、そのヘッダーデータと適合するＩＤの専用の情報機器を所有するものだけがコンテンツデータを利用することができるような状態をつくる。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
本発明に係るサーバーは、ネットワークを介して端末と接続されるサーバーであって、ユーザー管理データベース及びコンテンツデータベースを備え、所定の端末からログインがあると、前記所定の端末から送信された所定の情報機器のＩＤと、前記ユーザー管理データベースにより管理されている所定の情報機器のＩＤとを比較し、それらが一致したときに、前記所定の端末からの要求に対応した、前記コンテンツデータベースのコンテンツデータに、前記所定の端末に関連する情報に基づいてスクランブルをかけて端末に送信する。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明に係るパソコンは、ネットワークを介してサーバーと接続されるパソコンであって、上記のサーバーからのコンテンツデータを受信し、前記ヘッダーデータのＩＤと前記パソコンに接続された所定の情報機器のＩＤとを対比して適合したときに、サーバーからのコンテンツデータを前記所定の情報機器に送信する。本発明においては、ヘッダーデータ（ＩＤ）に適合するＩＤをもった専用の情報機器だけがコンテンツデータを利用することができる。
【手続補正１４】
【補正対象書類名】明細書
【補正対象項目名】００１５
【補正方法】変更
【補正の内容】
【００１５】
本発明に係る情報機器は、上記のパソコンから受信したコンテンツデータのスクランブルを解除して記憶する。本発明においては、情報機器においてスクランブルを解除して記憶するようにしたので、情報機器による再生が可能であり、コンテンツの受信の際に途中に介在するパソコン等ではその再生ができないようにしてある。
【手続補正１５】
【補正対象書類名】明細書
【補正対象項目名】００１６
【補正方法】変更
【補正の内容】
【００１６】
本発明に係る情報機器は、上記のサーバーから携帯電話を介してコンテンツデータを受信すると、その携帯電話に関する情報に基づいてスクランブルを解除して記憶する。
【手続補正１６】
【補正対象書類名】明細書
【補正対象項目名】００１７
【補正方法】変更
【補正の内容】
【００１７】
本発明に係る情報機器は、上記のコンテンツデータを外部メモリに記憶する。本発明において、情報機器の内部メモリの容量が小さいときに有用である。